(57)【特許請求の範囲】
【請求項１】
カードのコンタクトに接続される複数のコンタクトを有するコネクタ本体と、該カードの排出を行う排出機構とを備え、該排出機構は、絶縁材料からなる取付け部と、該取付け部に回動可能に取り付けられ、該カード排出時に該カードを付勢する1枚の金属材料からなる排出板とを有するカードコネクタにおいて、
該取付け部は、段差状に形成された接続箇所にスリットが形成された第1の段差部を有し、
該排出板は、１／４円状に切り起こされた形状を有する第２の段差部を有し、
該スリットを介して該第1の段差部と該第２の段差部とを係合して、該取付け部に対して該排出板を回動可能に構成し、
前記排出板は前記第２の段差部の形成に伴い形成された回動中心部を一側に有し前記回動中心部が膨らんだ菱形状に形成され、
該回動中心部が、前記取付け部の当接部に当接し、
該排出板および該取付け部のいずれか一方の該回動中心部または該回動中心部の近傍に対応する部分が、他の一方に形成した開口に挟み込まれてなることを特徴とするカードコネクタ。
【発明の詳細な説明】
【０００１】
【発明の属する技術分野】
本発明は、カードコネクタに関し、特に、カードの排出を行う排出機構に関する。
【０００２】
【従来の技術】
近年、カード型情報記録媒体（以下、単にカードという。）を接続するためのカードコネクタをパーソナルコンピュータや携帯端末等の電子機器に備えることが広く行われている。
【０００３】
これらの電子機器は、電子部品を収容する筐体の小型化、軽量化が進展しており、これに伴い、カードコネクタについても、小型化、軽量化が求められている。この場合、カードコネクタに収容されるカードの占有体積を減少させることはできないため、その他の部分の小型化、軽量化を図る必要がある。
【０００４】
カードコネクタは、コンタクトを絶縁体に取り付けたコネクタ本体部と、コネクタ本体部に取り付けられ、カードを排出するための排出機構とで略構成される。さらに、カードの排出機構は、カードを押圧して排出するための押圧部材および押圧部材を操作する操作部と、押圧部材の両側に設けられ、カードの排出をガイドするガイド部材とで構成される。
【０００５】
このコネクタ本体部と排出機構とは、それぞれ別部材として準備され、コネクタ本体部を電子機器の筐体の基板に実装した後、排出機構を取り付けるタイプのものが主流となっている。
【０００６】
排出機構は、樹脂のモールド成形品と金属板の折り曲げ加工品とに大別される。
【０００７】
前者の樹脂のモールド成形品は、所定の強度を確保するためには肉厚を大きくする必要があり、このため、カードコネクタの寸法が大きくなる傾向にある。
【０００８】
これに対して、後者の金属板の折り曲げ加工品は、肉厚の薄い金属板を用いるため、排出機構自体の寸法は小型化されるものの、強度を確保するために排出機構が取り付けられるコネクタ本体部の取り付け部の肉厚を大きくする必要があり、カードコネクタ全体としての小型化が制限される。
【０００９】
従来の排出機構の具体的な構成についてさらに説明する。
【００１０】
排出機構は、例えば、カードを排出する際にカードをカードコネクタから十分に突出（排出）させるという言わば排出機構の機能面を優先して、排出機構を2枚の金属製の排出板を用いたカム構造にして排出のストロ−クを大きくする設計がなされたものがある。
【００１１】
また、排出機構は、例えば、1枚の金属製の排出板を樹脂製の平板部に回動可能に取り付けたものもある。この平板部は、コネクタ本体の一部としてあるいはコネクタ本体に取り付けられた部材として設けられる場合と、コネクタ本体とは別に排出機構の一部として設けられる場合とがある。なお、平板部を金属製とすることは、平板部がコネクタ本体と別部材となるため、部品点数が増え、組立て工程の工程数も増すため、コストアップとなる不具合がある。また、平板部を取り付けるコネクタ本体の取り付け部位のスペースを確保するために、コネクタ本体の幅寸法が大きくなる不具合もある。
【００１２】
【発明が解決しようとする課題】
しかしながら、従来のカードコネクタは、前者の2枚の金属製の排出板を用いたカム構造を採用したタイプの場合、排出機構の厚みおよび重量の双方が大きくなり、その結果カードコネクタの厚みおよび重量の双方が大きくなることを避けることができない。
【００１３】
また、後者の1枚の金属製の排出板および樹脂製の平板部の組み合わせタイプの場合、例えば、排出板に形成した孔部に平板部に突設した突設部を係合して排出板を軸支する構成が用いられ、この場合、軸支部分が嵩高となり、これにより、カードコネクタの厚みが大きくなることを避けることができない。
【００１４】
カードコネクタの小型化を検討する場合、前記したように立体的な寸法を小さくすることが求められるとともに、特に、例えば、かばん等に電子機器を入れて携行する際の携帯性の観点からは、電子機器の薄肉化が必須であるため、カードコネクタの薄肉化が必要である。この観点からは、上記した従来のカードコネクタは各タイプとも改良の余地が大きい。
【００１５】
本発明は、上記の課題に鑑みてなされたものであり、薄肉化したカードコネクタを提供することを第１の目的とし、また、薄幅化したカードコネクタを提供することを第２の目的する。
【００１６】
【課題を解決するための手段】
本発明に係るカードコネクタは、
カードのコンタクトに接続される複数のコンタクトを有するコネクタ本体と、該カードの排出を行う排出機構とを備え、該排出機構は、絶縁材料からなる取付け部と、該取付け部に回動可能に取り付けられ、該カード排出時に該カードを付勢する1枚の金属材料からなる排出板とを有するカードコネクタにおいて、
該取付け部は、段差状に形成された接続箇所にスリットが形成された第1の段差部を有し、
該排出板は、１／４円状に切り起こされた形状を有する第２の段差部を有し、
該スリットを介して該第1の段差部と該第２の段差部とを係合して、該取付け部に対して該排出板を回動可能に構成し、
前記排出板は前記第２の段差部の形成に伴い形成された回動中心部を一側に有し前記回動中心部が膨らんだ菱形状に形成され、
該回動中心部が、前記取付け部の当接部に当接し、
該排出板および該取付け部のいずれか一方の該回動中心部または該回動中心部の近傍に対応する部分が、他の一方に形成した開口に挟み込まれてなることを特徴とする。
【００１７】
ここで、カードとは、電子機器に組み込まれたカードコネクタに接続して使用されるカード型情報記録媒体をいう。本発明において、排出板および取付け部を除く他の排出機構構成部品、例えば、ガイド部材等は、樹脂材料を用いてコネクタ本体と一体的に形成したものであってもよく、また、例えば、金属板を用いて形成し、コネクタ本体に取り付けた構造であってもよい。また、取付け部は、コネクタ本体と一体的に形成され、あるいはコネクタ本体の一部であってもよく、また、コネクタ本体とは別体として形成され、ガイド部材に取り付けられたものであってもよい。取付け部は、少なくとも排出板と重なる部分が平板状に形成される。
【００１８】
これにより、排出板を２枚設け、あるいは、排出板と取付け部との係合部が嵩高な従来のものよりも排出機構を薄肉とすることができ、ひいては、カードコネクタを薄肉化することができる。
【００１９】
この場合、取付け部と排出板の係合箇所がスリット形成位置を挟んで上下逆転して積重ねられた形態となるが、積重ねたときの嵩高さが取付け部の係合部位の部分と排出板の各厚みの合計に近い寸法となるように段差形状を設定すると、より好適である。
【００２０】
また、この場合、前記排出板は鋭角に形成された回動中心部を一側に有し前記回動中心部が膨らんだ菱形状に形成され、該回動中心部が、前記取付け部の当接部に当接し、該排出板および該取付け部のいずれか一方の該回動中心部または該回動中心部の近傍に対応する部分が、他の一方に形成した開口に挟み込まれてなると（請求項１に係る発明）、例えば、外力が作用したときに、排出板の回動中心部が取付け部の当接部から位置ずれする不具合や、さらには、排出板が取付け部から離れて脱落する不具合を避けることができる。
【００３０】
【発明の実施の形態】
本発明に係るカードコネクタの好適な実施の形態（以下、本実施の形態例という。）について、図を参照して、以下に説明する。なお、本発明の実施例は第１の例と第４の例であり、第２の例、第３の例、第５の例、第６の例は参考例である。
【００３１】
本実施の形態の第1の例に係るカードコネクタについて、図１〜図１１を参照して説明する。
【００３２】
カードコネクタ１０は、図１に示ように、複数のコンタクト１２と、コンタクト１２が取り付けられるコネクタ本体１４と、上カバー（プレート）１６と、排出機構を構成する平板部（取付け部）１８および排出板（カム）２０とを有する。さらに、図２に示すように、後述するカード２２を装脱するためのガイド部材（イジェクタ）２４を有する。
【００３３】
コネクタ本体１４、平板部１８およびガイド部材接続部２６は、一体的に形成され、コネクタハウジングを構成している。また、ガイド部材２４には、排出機構を構成し、排出板２０を回動操作するための操作レバー２７が取り付けられている。
【００３４】
コンタクト１２、上カバー１６、排出板２０、ガイド部材２４および操作レバー２７は、金属材料で形成されている。一方、コネクタハウジングを構成するコネクタ本体１４、平板部１８およびガイド部材接続部２６は、絶縁性の樹脂材料で形成されている。
【００３５】
コンタクト１２は、長さ方向（図1中Ｘ１−Ｘ２方向）に段差状に形成されている。コンタクトの一端部１２ａは、図３に示すカード２２に設けられる複数のコンタクト（図示せず。）に、ばね力による接触圧によって接続される接触部とされ、他端部１２ｂは、表面実装方式により、図示しない電子機器の筐体に設けられる基板の端子に接続される接触部とされる。
【００３６】
コネクタ本体１４は、直方体状の部材であり、上面１４ｅには、複数の突起１４ｂおよび１４ｃが形成されている。
【００３７】
ガイド部材接続部２６は、１対のレール状に形成された接続部２６ａ、２６ｂからなる。接続部２６ａ、２６ｂは、それぞれコ字状の溝部２６ｃが対向して形成されている。各接続部２６ａ、２６ｂは、それぞれ一端部に、図示しない基板にコネクタ本体を固定するための締結部２８を有するとともに、他端部に、ガイド部材２４に接続される雌接続部３０を有する。なお、接続部２６ａ、２６ｂと平板部１８との間にはそれぞれ隙間３１が形成されている。この隙間３１は、後述するように、排出板２０を傾けた状態で突起部４１（Ｅ部）およびＦ部を挿入可能な程度に図１中上下方向に幅広に形成されている。
【００３８】
平板部１８は、略長方形の平板状であり、接続部２６ａ、２６ｂの間に配置されている。平板部１８の、図１中、中央部位からＹ１方向に偏った位置に、排出板２０と係合する段差部（第１の段差部）３２が形成されている。段差部３２は、主面であるＢ部に囲まれて図１中Ｚ１方向に段差状に突出して略矩形状のＡ部が形成されている。この段差の大きさ、すなわち、Ａ部とＢ部のＺ１−Ｚ２方向の距離は、排出板２０の厚みＷ１と同一に設定されている（図８参照）。段差部３２の段差部分の一部に円弧状のスリット３４が形成されている。なお、段差部分のスリット３４を挟んで設けられた側壁部（ａ部）は、Ｂ部側に傾斜した傾斜面状に形成されている。また、後壁（ｃ部）はＺ１−Ｚ２方向に直立して形成されている（図６参照）。
【００３９】
排出板２０は、Ｙ１−Ｙ２方向の中央部が膨らんだ菱形状に形成されている。排出板２０は、Ｙ１−Ｙ２方向の中央部の一側に段差部３２と係合する段差部（第２の段差部）３６が形成されている。段差部３６は、主面であるＤ部に囲まれて図１中Ｚ２方向に段差状に突出して、Ａ部と略同一形状のＣ部が形成されている。この段差の大きさ、すなわち、Ｃ部とＤ部のＺ１−Ｚ２方向の距離は、平板部１８の厚みＷ２と同一に設定されている（図８参照）。Ｃ部の両側にはスリット３８が形成されており、これにより、Ｃ部が突起状に形成されている。Ｃ部の先端側（図１中Ｘ２側端部）は、頂部Ｃ１を挟んで両側に傾斜した２辺Ｃ２、Ｃ３が設けられた山形状に形成されている。また、排出板２０は、Ｙ１側端部がＺ１方向に折り曲げられて突設部４０が形成されるとともに、Ｙ２側端部がＺ１方向に折り曲げられて突起部４１が形成されている。突起部４１にはＸ１側に開口したスリット４３が形成されている。なお、段差部分の立て壁部（ｂ部）は、Ｄ部側に傾斜した傾斜面状に形成されている。
【００４０】
上カバー１６は、電磁波を遮蔽するために設けられるものであり、上面１６ａと、上面１６ａの三側に設けられた側面１６ｂ、１６ｃおよび１６ｇとで略構成される。上面１６ａには、複数の開口部１６ｄが形成されるとともに、装着したカード２２の表面端子２５に接触してカード２２を基板に接地するための、ばね性を有する複数のグランドプレート１６ｅが形成されている。側面１６ｂ、１６ｃには、対向するコ字状の溝１６ｆが形成されている。側面１６ｇには、複数の孔部１６ｈおよび凹部１６ｉが形成されている。なお、側面１６ｂ、１６ｃの近傍には、締結部２８に位置決めされる締結部４２を有する。
【００４１】
図２に示すガイド部材２４は、１対のガイドレール４４ａ、４４ｂを有する。各ガイドレール４４ａ、４４ｂは、コ字状に形成された溝部５０を対向させて配置される。各ガイドレール４４ａ、４４ｂに２つの橋架部４５ａ、４５ｂが橋架され、これによって各ガイドレール４４ａ、４４ｂが一体化されている。各ガイドレール４４ａ、４４ｂには、基板にガイド部材２４を固定するための締結部４６を有する。また、各ガイドレール４４ａ、４４ｂの一側には、それぞれ接続部２６ａ、２６ｂの各雌接続部３０に接続される雄接続部４８を有する。
【００４２】
ガイドレール４４ａには、操作レバー２７がＸ１−Ｘ２方向に移動可能に取り付けられている。操作レバー２７は、一端部に排出板２０の端部（図１中Ｅ部）の突起部４１に係合する係合部５４が設けられるとともに、他端部に操作用のボタン５６が取り付けられている。
【００４３】
ガイド部材２４とガイド部材接続部２６の接続構造および操作レバー２７のガイドレール４４ａへの取り付け構造等については、その詳細を後述する。
【００４４】
カードコネクタ１０に接続される図３に示すカード２２は、薄肉の直方体状であり、前記した複数のコンタクトがコンタクト１２に対応して上下に２列配列されている（図示せず。）。上下両面２３ａ、２３ｂには、突設面２２ｂ、２２ｃが形成されている。また、上面２３ａには複数の表面接点２５が形成されている。カード２２の先端部２２ａの端面２２ｅに排出機構の突設部４０が係合する構成とされるが、その詳細は後述する。
【００４５】
上記した各部材を用いてカードコネクタ１０を組立てる方法について以下説明する。
【００４６】
図１では、説明の便宜上、コンタクト１２とコネクタ本体１４とを分離した状態で示したが、実際には、コンタクト１２は、コネクタ本体１４にインサート成形されている。このとき、複数のコンタクト１２は、図1中Ｚ１−Ｚ２方向に2列配列される。なお、上記したように、コネクタ本体１４とともに平板部１８およびガイド部材接続部２６が一体成形される。
【００４７】
そして、平板部１８に排出板２０を係合する。このとき、まず、排出板２０のＥ部側をＺ２方向に下げるとともにＦ部側をＺ１方向に上げて排出板２０を傾けた状態で、突起部４１を接続部２６ａ側の隙間３１に挿入する。ついで、排出板２０のＦ部側を下側（Ｚ２方向）に下げて、Ｆ部を接続部２６ｂ側の隙間３１に挿入する。さらに、排出板２０のＣ部側をＤ部側に対して下側（Ｚ２方向）に傾けた状態で、Ｃ部を平板部１８のスリット３４に挿入する。
【００４８】
ついで、接続部２６ａ、２６ｂに溝部１６ｆを係合するとともに、コネクタ本体１４の突起１４ｂに孔部１６ｈを、また、突起１４ｃに凹部１６ｉをそれぞれ係合することにより、コネクタ本体１４の上部を覆うようにして上カバー１６をガイド部材接続部２６に取り付ける。
【００４９】
さらに、図２に示すガイド部材２４の雄接続部４８を接続部２６ａ、２６ｂの雌接続部３０に係合して、ガイド部材２４をガイド部材接続部２６に取り付けることにより、カードコネクタ１０が完成する。
【００５０】
組立てられたカードコネクタ１０（但し、ガイド部材２２を除く。）について、図４に斜視図を、図５に正面図を、図６に背面図を、図７に表面図を、図８に図７中ＶＩＩＩ−ＶＩＩＩ線上断面図を、それぞれ示す。なお、図法上、図６と図７のカードコネクタ１０は左右（Ｘ１−Ｘ２方向）が逆に表示されている。
【００５１】
図６、図７を参照して排出機構の動作を説明する。
【００５２】
図６に示すように、平板部１８に係合した排出板２０は、Ｃ部の頂部（回動中心部）Ｃ１が後壁（当接部  ｃ部）に当接するとともに、この場合さらに山形状部位の１辺Ｃ２が後壁（ｃ部）に当接している。平板部１８は、この頂部Ｃ１を中心として図６において時計回りに回動すると、他の１辺Ｃ３が後壁（ｃ部）に当接するように構成されている。
【００５３】
操作レバー２７（図２参照）によって排出板２０の端部（Ｅ部）が図７中矢印Ａ１方向（Ｘ２方向）に押されると、断差部３２、３６の係合箇所を中心として排出板２０が反時計回りに回動し、端部（Ｆ部）が矢印Ａ２方向に移動する。すなわち、排出板２０は操作レバー２７に付勢されてカム動作する。端部（Ｆ部）の突設部４０が装着したカード２２の端面２２ｅを押圧することにより、カード２２が図７中Ｘ１方向に押され、カードコネクタ１０からカード２２の後端部２２ｆが露出する（図３参照）。
【００５４】
図８を参照して平板部１８の段差部３２と排出板２０の段差部３８との係合状態についてさらに説明する。
【００５５】
既に説明したように、排出板２０のＣ部がスリット３４から平板部１８のＣ部の下側に進入して頂部Ｃ１が後壁（ｃ部）に当接するとともに、排出板２０のＤ部が平板部１８のＢ部の上側に位置することにより、排出板２０が平板部１８に回動可能に係合している。このとき、平板部１８のＡ部とＢ部の段差は、排出板２０の厚みＷ１と略同一となるように設けられ、一方、排出板２０のＣ部とＤ部の段差も平板部１８の段差に対応し、かつ、排出板２０が回動可能な範囲でＣ部がＡ部にまたＤ部がＢ部にそれぞれ密着するように形成されている。したがって、Ａ部とＤ部およびＢ部とＣ部は略面一（同一面）である。このため、排出板２０と平板部１８の係合箇所、言いかえれば、排出板２０の回動中心の図８中高さ方向（Ｚ１−Ｚ２方向）の寸法は、排出板２０の厚みＷ１と平板部１８の厚みＷ２の合計寸法となる。排出板２０の厚みＷ１および平板部１８の厚みＷ２は、それぞれ、操作時の手指による力またはその他ある程度の大きさの外力を受けたときに変形や破損をしない程度の強度を確保可能な範囲内で薄肉とすることができる。
【００５６】
なお、接続部２６ａ、２６ｂの溝部２６ｃの幅Ｄ１は、挿入されるカード２２の先端部２２ａの厚みＷ３よりも僅かに大きく形成されている。したがって、カードコネクタ１０の厚みＷ４は、上記した排出板２０と平板部１８の厚みＷ１、Ｗ２およびカード２２を挿入するスペースとしての溝部２６ｃの幅Ｄ１に、コネクタ本体１４の上端部および上カバー１８の厚み等を加えた寸法となっている。
【００５７】
また、カード２２は、カードコネクタ１０に収容した状態において、端面２２ｅ（図３参照）が排出板２０の突設部４０に当接している。したがって、排出機構を構成する平板部１８および排出板２０は、Ｚ１−Ｚ２方向投影面において、カード２２の外形寸法の範囲内に収まっている。また、カード２２を排出するとき、カード２２の後端部２２を僅かに露出させれば十分であるため、排出板２０は回動するときのＸ１−Ｘ２方向の変位量（ストローク）をカード２２の露出量に対応させている。すなわち、排出板２０は、排出板２０が回動する各位置においてＸ１−Ｘ２方向に大きく変位しない形状、すなわち、菱形状に形成されるとともに、Ｘ１−Ｘ２方向の幅寸法も小さく形成されている。このため、平板部１８および排出板２０は、カードコネクタ１０のＸ１−Ｘ２方向長さ寸法を短縮する際の障害となることがない。
【００５８】
ここで、図９を参照して、ガイド部材２４とガイド部材接続部２６の接続構造についてさらに説明する。
【００５９】
ガイド部材２４の各ガイドレール４４ａ、４４ｂの端部には、それぞれ図９中上下に撓むばね性を有する一対の係止部５８ａ、５８ｂが突設されている。係止部５８ａ、５８ｂの先端部には外向きに突出した山形状の凸部６０がそれぞれ形成されている。
【００６０】
ガイド部材接続部２６の接続部２６ａ、２６ｂのそれぞれの溝部２６ｃを形成する上下壁２６ｄ、２６ｅには、突起６２がそれぞれ内向きに突設されており、これにより突起６２、６２と接続部２６ａ、２６ｂの立て壁２６ｆとの間に隙間６４が形成される。また、上下壁２６ｄ、２６ｅにはスリット２６ｇ、２６ｈが形成されている（下壁２６ｅのスリット２６ｈは図示せず。）。
【００６１】
係止部５８ａ、５８ｂをそれぞれ内側に撓ませて近接させた状態で、山形状の凸部６０を上下壁部２６ｄ、２６ｅに摺動させながら隙間６４に係止部５８ａ、５８ｂを挿入し、スリット２６ｇ、２６ｈに凸部６０を係止することにより、接続部２６ａ、２６ｂにガイドレール４４ａ、４４ｂが容易に接続され、固定される。また、接続部２６ａ、２６ｂからガイドレール４４ａ、４４ｂを取り外すときも、接続の際の同様に容易に取り外すことができる。
【００６２】
上記のようにガイド部材２４とガイド部材接続部２６の接続構造は簡易であり、接続のための部材が、接続部２６ａ、２６ｂあるいはコネクタ本体１４の両側部から幅方向（Ｙ１またはＹ２方向）に飛び出すことがない。したがって、ガイド部材２４とガイド部材接続部２６の接続構造は、カードコネクタ１０の幅（Ｙ１−Ｙ２方向）寸法を短縮するときの障害となることがない。
【００６３】
つぎに、図１０、図１１を参照して、操作レバー２７のガイドレール４４ａへの取り付け構造、操作レバー２７と排出板２０との係合構造およびボタン５６について以下説明する。なお、図１０と図１１とで、各部材は天地が逆に表示されている。
【００６４】
操作レバー２７は、前記したボタン５６とアーム２７ａとで構成されている。図１０に示すように、アーム２７ａの長さ方向中央部に２つの孔部７０ａ、７０ｂが形成されるとともに、上下両端にそれぞれ突起７２ａ、７２ｂが形成されている。アーム２７ａの前方部の幅寸法Ｗ５は後方部の幅寸法Ｗ６に比べて幅広に形成されている。なお、後述する切り起こし部８２ａ、８２ｂの離間間隔Ｌ２に対して、幅寸法Ｗ５は大きく、一方、幅寸法Ｗ６は小さく形成される。アーム２７ａの先端部には、切り起こして形成された前記係合部５４が形成されることにより、切り起こし箇所に開口部５５が生成している。一方、図１１に示すように、アーム２７ａの後端部は段差状に形成され、圧入部７６とされている。ボタン５６には、２つのスリット５６ａ、５６ｂが形成されている。スリット５６ａは、後述するきり起こし部８４を緩挿可能な幅と奥行きを有し、スリット５６ｂは、圧入部７６を圧入可能な幅と奥行きを有する。
【００６５】
ガイドレール４４ａには、図１０に示すように、半円球状の凸部７８が形成されている。凸部７８を挟み、上下対向し、かつ水平方向にずれた位置に、先端部が起立した切り起こし部８０ａおよび先端部が垂下した切り起こし部８０ｂが形成されている。この切り起こし部８０ａ、８０ｂの離間間隔Ｌ１は、図１０中アーム２７ａの突起７２ａと拡縮境界箇所Ｐ部との間の寸法Ｌ２よりも小さく設定されている。また、ガイドレール４４ａには、上下対向して、先端部が垂下した切り起こし部８２ａおよび先端部が起立した切り起こし部８２ｂが形成されている。また、図１１に示すように、ガイドレール４４ａの後端部に、先端部がＸ１方向に延出した切り起こし部８４が形成されている。この切り起こし部８４のＸ１−Ｘ２方向寸法Ｗ７は、後述する操作レバー２７のＸ１−Ｘ２方向移動範囲よりも十分大きな寸法に形成されている。
【００６６】
なお、図１０には、既に説明したように、スリット４１が形成された、排出板２０の突起部４１が接続部２６ａおよび上カバー１８からＹ２方向に露出した状態が示されている。
【００６７】
まず、操作レバー２７のガイドレール４４ａへの取り付け構造について説明する。
【００６８】
操作レバー２７をガイドレール４４ａに取り付けるには、まず、図１０中Ｚ１−Ｚ２方向に、ガイドレール４４ａと直交するように操作レバー２７を倒立した状態、すなわち、係合部５４のある先端部を下に位置した状態で、凸部７８に孔部７０ｂを位置決めしてガイドレール４４ａの切り起こし部８０ａ、８０ｂ間に操作レバー２７を配置する。
【００６９】
ついで、操作レバー２７を反時計回りに９０°回転させて、操作レバー２７をガイドレール４４ａに重ねる。このとき、さらに、アーム２７ａの中間部を切り起こし部８２ａ、８２ｂ間に配置するとともに、係合部５４を排出板２０の突起部４１のスリット４３に係合する。さらに、突起部４１の根元部分は、係合部５４の開口部５５に嵌入されており、これにより、突起部４１と係合部５４が一体となってＸ１−Ｘ２方向に移動するように構成されている。以上の手順により、凸部７８、切り起こし部８０ａ、８０ｂおよび切り起こし部８２ａ、８２ｂに支持されて、操作レバー２７がガイドレール４４ａに取り付けられる。
【００７０】
なお、このとき、操作レバー２７のアーム２７ａの拡縮箇所（図１０中Ｐ部）は、切り起こし部８２ａ、８２ｂよりもＸ２方向側に位置する。この凸部７８に孔部７０ｂが係合した状態は、操作レバー２７がＸ１方向側に最大限移動した位置である。これに対して、操作レバー２７がＸ２方向側に最大限移動すると凸部７８に孔部７０ａが係合する。これら凸部７８と孔部７０ａまたは孔部７０ｂとの係合の度合いは、ボタン５６を押すことにより直接的にあるいはカード２２をカードコネクタ１０に挿入することにより間接的に操作レバー２７に加えられる手指の力によって係合状態が解除可能な程度である。
【００７１】
カード２２を装着する時、カード２２をカードコネクタ１０に図１０中Ｘ２方向に手指で押し込むと、カード２２の端面２２ｅによって排出板２０の突設部４０がＸ２方向に押され（図１、図７参照）、段差部３２、３６（正確には頂部Ｃ１）を中心として排出板２０が回動することにより、突起部４１がＸ１方向に移動する。これにより、突起部４１に係合部５４が係合した操作レバー２７は、Ｘ１方向に移動し、凸部７８は孔部７０ａとの係合状態が解除され、孔部７０ｂに係合する。そして、拡縮箇所Ｐ部の幅寸法Ｗ５の側の端部が切り起こし部８２ａ、８２ｂに当接することにより、操作レバー２７のＸ１方向への移動が停止する。
【００７２】
なお、カード２２は、カードコネクタ１０の所定位置まで挿入されると、図示しないストッパに係止して挿入を停止される。カード２２は、カードコネクタ１０に装着された状態において、カード２２の表面接点２５が上カバー１８のグランドプレート１６ｅに当接するため、グランドプレート１６ｅの設けられた上カバー１８を介して、カード２２は基板に接地される。
【００７３】
一方、カード２２を脱着する時、ボタン５６を押すと、操作レバー２７は、図１０中Ｘ２方向に移動する。これにより、操作レバー２７によって排出板２０の突起部４１がＸ２方向に押されると、段差部３２、３６を中心として排出板２０が回動し、突設部４０がＸ１方向に押される。そして、突設部４０に当接したカード２２の端面２２ａがＸ１方向に押されることにより、カード２２の後端部２２ｆがカードコネクタ１０から露出する。この場合、カード２２に比べて大きさが小さいボタン５６を手指で押す力は、カード２２を手指で押す力と比べると弱くなるが、段差部３２、３６が排出板２０の幅方向（Ｙ１−Ｙ２方向）中央部よりも偏った位置に設けられているため、てこの原理により、カード２２を容易に排出することができる。このとき、凸部７８と孔部７０ａ、７０ｂとの係合の際あるいは係合解除の際、良好なクリック感を得ることができる。なお、凸部７８と孔部７０ａまたは孔部７０ｂが係合することにより、外力を受けたときの操作レバー２７のＸ１またはＸ２方向への意図しない移動が防止される。突起７２ａが切り起こし部８０ｂに、突起７２ｂが切り起こし部８０ａにそれぞれ当接することにより、操作レバー２７のＸ２方向への移動が停止する。
【００７４】
最後に、露出したカード２２の後端部２２ｆを手指で挟んでカード２２をカードコネクタ２２から抜き取る。
【００７５】
上記の操作レバー２７のガイドレール４４ａへの取り付け構造は、操作レバー２７のアーム２７ａを簡易な構成の切り起こし部８０ａ、８０ｂ、８２ａ、８２ｂで支持するため、取り付け構造が簡易であり、かつ、取り付けが容易である。
【００７６】
操作レバー２７と排出板２０との係合構造は、上記の操作レバー２７のガイドレール４４ａへの取り付け構造の説明の際に合わせて説明したとおりである。
【００７７】
この操作レバー２７と排出板２０との係合構造は、切り起こして形成された係合部５４と折り曲げて形成した突起部４１を係合する簡易な構成であるため、係合構造が簡易であり、かつ、取り付けが容易である。
【００７８】
さらに、操作レバー２７のボタン５６について説明する。
【００７９】
ボタン５６は、スリット５６ａに切り起こし部８４を係合し、スリット５６ｂに圧入部７６を圧入することにより、ガイドレール４４ａに摺動可能に係合した状態で、アーム２７ａに固着される。このため、ボタン５６を操作するとき、ボタン５６は、切り起こし部８４に案内され、がたつきを生じることがない。
【００８０】
以上説明した本実施の形態の第１の例に係るカードコネクタ１０は、排出機構が、樹脂製の平板部１８に１枚の薄肉の金属製の排出板２０を回動可能に取り付けた構成であり、しかも、厚みが平板部１８の厚みと排出板２０の厚みとの合計分に過ぎないため、従来よりも排出機構を薄肉とすることができ、ひいては、カードコネクタを薄肉化することができる。
【００８１】
また、カードコネクタ１０は、排出板２０を回動した際の排出板２０のＸ１−Ｘ２方向への変位量（ストローク）が小さな、Ｘ１−Ｘ２方向に薄幅でかつ菱形状に形成しているため、排出板２０が小型化されており、また、コスト面、重量面においても好ましい。
【００８２】
つぎに、本実施の形態の第２の例に係るカードコネクタについて、図１２、図１３を参照して以下説明する。
【００８３】
カードコネクタ９１の基本構成は、カードコネクタ１０と同じであるため、カードコネクタ９１について、カードコネクタ１０と同一の構成要素については、カードコネクタ１０と同一の参照符号を付すとともに説明を省略し、あるいは、必要に応じて図示も省略する。
【００８４】
カードコネクタ９１は、金属製の排出板９３と樹脂製の平板部（取付け部）９５との係合構造が、カードコネクタ１０と相違する。
【００８５】
すなわち、排出板９３は、図１３に示すように、１枚の平板に孔部９７が形成され、その孔部９７の外周に環状の折り曲げ部（係合部）９８が形成されている。一方、平板部９５には、図１２、図１３中Ｚ２方向に拡大したテーパを有する孔部１０１が形成されている。
【００８６】
排出板９３の折り曲げ部９９を平板部９５の孔部１０１に挿入し、折り曲げ部９９をポンチ等でかしめて押し広げることにより、図１３に示すように、折り曲げ部９９と孔部１０１との間に排出板９３が回動可能な程度の隙間を残して、排出板９３を平板部９５に係合する。カードコネクタ９１は、上記係合箇所を回動中心として排出板９３が回動可能に構成される。
【００８７】
以上説明した本実施の形態の第２の例に係るカードコネクタ９１は、カードコネクタ１０と同様に、排出機構が、樹脂製の平板部９５に１枚の薄肉の金属製の排出板９３を回動可能に取り付けた構成であり、しかも、厚みが平板部９５の厚みと排出板９３の厚みとの合計分に過ぎないため、従来よりも排出機構を薄肉とすることができ、ひいては、カードコネクタを薄肉化することができる。
【００８８】
また、例えば、外力が作用したとしても、排出板９３が平板部９５から離れて脱落することがなく、また、排出板９３の回動中心が位置ずれすることがない。
【００８９】
つぎに、本実施の形態の第３の例に係るカードコネクタについて、図１４、図１５を参照して以下説明する。
【００９０】
カードコネクタ１４０の基本構成は、カードコネクタ１０と同じであるため、カードコネクタ１４０について、カードコネクタ１０と同一の構成要素については、カードコネクタ１０と同一の参照符号を付すとともに説明を省略し、あるいは、必要に応じて図示も省略する。
【００９１】
カードコネクタ１４０は、金属製の排出板１４２と樹脂製の取付け部１４４との係合構造が、カードコネクタ１０と相違する。
【００９２】
排出板１４２は、取付け部１４４に対向する側の一側が山形状に形成され、中央先端部（回動中心部）１４６が鋭角状となっている。また、排出板１４２の中央先端部１４６の後方（図１４中手前側）には、切起こして（図１４では、先端部を切り下げた形となっている。）形成された、隙間（開口）を有する段差部（第２の段差部）１４８が設けられている。
【００９３】
取付け部１４４は、この場合、平面部１４４ａと、平面部１４４ａの端部に立設した壁部１４４ｂとで構成されている。
【００９４】
平面部１４４ａには、切起こして形成された、隙間（開口）を有する段差部（第１の段差部）１５０が設けられている。
【００９５】
図１５に示すように、きり起こし部をそれぞれ相手側の隙間に差し込むことにより、排出板１４２の段差部１４８と取付け部１４４の段差部１５０を係合し、排出板１４２の中央先端部１４６を取付け部１４４の壁部１４４ｂの当接部１５２に当接させて、排出板１４２を取付け部１４４に位置決めする。
【００９６】
これにより、段差部１４８の下部１４８ａが段差部１５０の下部（主面）１５０ａと上部１５０ｂとの隙間に挟み込まれ、一方、段差部１５０の上部１５０ｂが段差部１４８の下部１４８ａと上部（主面）１４８ｂとの隙間に挟み込まれ、中央先端部１４６を回動中心にして排出板１４２が取付け部１４４に回動可能に取りつけられる。
【００９７】
このとき、例えば、外力が作用したとしても、排出板１４２が取付け部１４４から離れて脱落することがなく、また、排出板１４２の中央先端部１４６が取付け部１４４の当接部１５２から位置ずれすることがない。
【００９８】
なお、取付け部１４４は、図１に示すコネクタ本体１４あるいはコネクタ本体１４を覆うカバー（例えば，上カバー１６）の一部であってもよく、また、ガイド部材接続部２６の一部であってもよい。また、取付け部１４４は、コネクタ本体１４やガイド部材接続部２６とは別体として設けてもよい。
【００９９】
つぎに、本実施の形態の第４の例に係るカードコネクタについて、図１６を参照して以下説明する。
【０１００】
カードコネクタ１５４の基本構成は、カードコネクタ１０と同じであるため、カードコネクタ１５４について、カードコネクタ１０と同一の構成要素については、カードコネクタ１０と同一の参照符号を付すとともに説明を省略し、あるいは、必要に応じて図示も省略する。
【０１０１】
排出板１５６は、カードコネクタ１０の排出板２０と略同様の形態であるが、排出板２０の半円状の切り起こし形状と異なり、段差部（第２の段差部）１５８は１／４円状に切り起こされた形状となっている。この場合、図１６中参照符号１６０が、回動中心部となっている。
【０１０２】
一方、取付け部１６２は、排出板１５６と同様に、平面部１６２ａの段差部（第１の段差部）１６４は１／４円状に切り起こされた形状となっている。この場合、壁部１６２ｂの参照符号１６６の部分が当接部となっている。
【０１０３】
きり起こし部をそれぞれ相手側の隙間に差し込むことにより、排出板１５６の段差部１５８と取付け部１６２の段差部１６４を係合し、排出板１５６の中央先端部１６０を取付け部１６２の壁部１６２ｂの当接部１６６に当接させて、排出板１５６を取付け部１６２に位置決めする。
【０１０４】
これにより、段差部１５８の下部１５８ａが段差部１６４の下部（主面）１６４ａと上部１６４ｂとの隙間に挟み込まれ、一方、段差部１６４の上部１６４ｂが段差部１５８の下部１５８ａと上部（主面）１５８ｂとの隙間に挟み込まれ、回動中心部１６０を回動中心にして排出板１５６が取付け部１６２に回動可能に取りつけられる。
【０１０５】
これにより、カードコネクタ１５４は、上記カードコネクタ１４０と同様の効果を得ることができる。
【０１０６】
つぎに、本実施の形態の第５の例に係るカードコネクタについて、図１７を参照して以下説明する。
【０１０７】
カードコネクタ１６８の基本構成は、カードコネクタ１０と同じであるため、カードコネクタ１６８について、カードコネクタ１０と同一の構成要素については、カードコネクタ１０と同一の参照符号を付すとともに説明を省略し、あるいは、必要に応じて図示も省略する。
【０１０８】
カードコネクタ１６８は、いわば、本実施の形態の第２の例のカードコネクタ９１の変形例である。
【０１０９】
排出板１７０は、カードコネクタ９１の折り曲げ部９９に代えて、取付け部１７２に対向した一側側の中央に突起部（係合部）１７４が形成され、さらのその突起部１７４の先端部が鋭角状に形成されて回動中心部１７６とされている。
【０１１０】
一方、取付け部１７２は、カードコネクタ９１の孔部１０１に代えて、平板部１７２ａの一側に立設したやや肉厚の壁部１７２ｂの下端部に凹部（孔部）１７８が形成されている。
【０１１１】
突起部１７４が凹部（孔部）１７８に挿入されることにより、排出板１７０が取付け部１７２に係合されるとともに、参照符号１８０で示す当接部に回動中心部１７６が当接して、排出板１７０が取付け部１７２に回動可能に取りつけられる。
【０１１２】
これにより、カードコネクタ９１、あるいは、上記本実施の形態の第３の例に係るカードコネクタ１４０と同様の効果を得ることができる。
【０１１３】
つぎに、本実施の形態の第６の例に係るカードコネクタについて、図１８、図１９を参照して以下説明する。
【０１１４】
カードコネクタ１８２の基本構成は、カードコネクタ１０と同じであるため、カードコネクタ１８２について、カードコネクタ１０と同一の構成要素については、カードコネクタ１０と同一の参照符号を付すとともに説明を省略し、あるいは、必要に応じて図示も省略する。
【０１１５】
カードコネクタ１８２は、いわば、本実施の形態の第２の例のカードコネクタ９１の変形例である。
【０１１６】
この場合、排出板１８４に孔部１８６が形成され、取付け部１８８の平板部１８８ａに係合部としての円柱状の突起１９０が設けられている点で、カードコネクタ９１と相違する。
【０１１７】
また、排出板１８４の一側に回動中心部１９２が設けられ、一方、取付け部１８８が壁部１８８ｂを有する点においてもカードコネクタ９１と相違する。
【０１１８】
円柱状の突起１９０が、図１９（ａ）に示すように、孔部１８６に挿入された後、図１９（ｂ）に示すように、孔部１８６（あるいは孔部１８６の周囲）にかしめつけられることにより、排出板１８４が取付け部１８８に係合する。このとき、係合箇所は係合部材としての機能のみを果たす。一方、係合状態において、回動中心部１９２が壁部１８８ｂの参照符号１９４で示す当接部に当接して、排出板１７０が取付け部１７２に回動可能に取りつけられる。
【０１１９】
これにより、カードコネクタが薄肉化されるとともに、排出板の回動中心部が取付け部の当接部から位置ずれする不具合や、さらには、排出板が取付け部から離れて脱落する不具合を避けることができる。
【０１２０】
特に、排出板の回動中心部が、平板部の上側（内側）に位置しているため、外力が回動中心部に直接に作用することがなく、排出板の回動中心部が取付け部の当接部から位置ずれする不具合がより確実に防止できる。また、係合箇所と回動中心とが分離独立して設けられているため、回動操作の自由度あるいは正確度が大きい。
【０１２１】
つぎに、前記した本実施の形態の第1の例に係るカードコネクタ１０のガイド部材２４およびコネクタ本体１４のガイド部材接続部２６の接続構造（図９参照）ならびにガイド部材２４への操作レバー２７の取り付け構造（図１０参照）の変形例について、図２０〜図２４を参照して以下説明する。
【０１２２】
変形例に係るガイド部材９０、ガイド部材接続部９２および操作レバー９４の組立て状態の斜視図を図２０に示す。図２０では、コンタクト１２は一部のみ図示し、他は省略している。
【０１２３】
図２０に示すように、ガイド部材９０とガイド部材接続部９２とは、操作レバー９４で隠れた図２０中Ａ部およびＢ部において、後述する接続構造によって係合されている。また、操作レバー９４は、ガイド部材９０に形成された先端切り起こし部９６、切り起こした突起９８、および後述するボタン１２２に係合する後端切り起こし部１１２にそれぞれ係合することにより、ガイド部材９０に取り付けられている。なお、図２０中、Ｃ部は、コネクタ本体１４に係合した排出板２０の端部を示す。
【０１２４】
ガイド部材９０、ガイド部材接続部９２および操作レバー９４の各部材の具体的な構造について説明する。なお、各部材は、本実施の形態の第1の例に係るカードコネクタ１０と同一の構成要素については、説明を省略する。
【０１２５】
ガイド部材９０は、図２１に示すように、本実施の形態の第1の例と同様に、対向する１対のガイドレール１００ａ、１００ｂを有する。各ガイドレール１００ａ、１００ｂは、本実施の形態の第1の例と同様に、２つの平板状の橋架部１０２ａ、１０２ｂが橋架され、これによって各ガイドレール１００ａ、１００ｂが一体化されている。なお、参照符号１０４は、カードコネクタが取り付けられる電子機器の筐体の基板を示す。図２１から明らかなように、電子機器使用時に基板１０４から発生する熱は、橋架部１０２ａ、１０２ｂ間の幅広い開口部１０６より容易に排出される。
【０１２６】
各ガイドレール１００ａ、１００ｂには、ガイドレール本体面１０８ａ、１０８ｂの先端（図２１中、左側）上部に孔部１１０ａ、１１０ｂが形成されている。一方、ガイドレール本体面１０８ａ、１０８ｂの先端の上部には、切り欠き部１１１が形成されている。また、ガイドレール本体面１０８ａには、上記した先端切り起こし部９６、突起９８および後端切り起こし部１１２がそれぞれ上向きに突設されている。さらに、各ガイドレール１００ａ、１００ｂの後端には、それぞれ、後上下方に向けて離間間隔が広がった、対抗する１対の舌片部１１４ａ、１１４ｂおよび１１４ｃ、１１４ｄが延出している。
【０１２７】
ガイド部材接続部９２は、図２０および図２２に示すように、対向する１対のレール状に形成され、それぞれのレール状の部分には、段差状に形成された平面部１１６（１方のみ図示）の上部および下部に突起１１８、１２０が形成されている。突起１１８は、上方に傾斜面を有する台形状に形成され、一方、突起１２０は、直方体状に形成されている。
【０１２８】
なお、図２２において、図２０の平板部１８および排出板２０は、図示を省略している。
【０１２９】
操作レバー９４は、図２４に示すように、本実施の形態の第１の例と同様に、ボタン１２２とアーム１２４とで構成されている。
【０１３０】
ボタン１２２は、長尺で前方部分（図２４中左上側）が幅広なスリット１２６を有する。アーム１２４は、上方および下方に開口を有するコ字状の切り欠き部１２８ａ、１２８ｂが、先端部近傍に形成されている。切り欠き部１２８ａ、１２８ｂに隣接して、長尺で前方部分（図２４中左上側）が幅広なスリット１３０が形成されている。アーム１２４の後端部は、ボタン１２２の図示しない孔部に嵌入し、固着されている（図１１参照）。
【０１３１】
ガイド部材９０とガイド部材接続部９２との上記したＡ部およびＢ部における接続構造について、図２０、図２２、図２３を参照して説明する。
【０１３２】
ガイド部材９０は、ガイド部材接続部９２に対して上方から取り付ける。このとき、ガイドレール１００ａの切り欠き部１１１を突起１２０と係合させて位置決めしながら、孔部１１０ａに突起１１８を嵌合する。ガイドレール１００ｂについても同様である。これにより、ガイド部材９０とガイド部材接続部９２とを一体化、固定する。なお、カードコネクタ１０使用時には、切り欠き部１１１が突起１２０と係合しているため、ガイド部材接続部９２に対する図２３中時計回り方向のガイド部材９０の回動が防止される。
【０１３３】
ガイド部材９０への操作レバー９４の取り付け構造を、図２４を参照して説明する。
【０１３４】
図２４において、ガイド部材９０に対してボタン１２２の側を上方にして、操作レバー９４を傾けた状態で、まず、先端切り起こし部９６をスリット１３０の幅広部分に挿入した後、ボタン１２２の側を下げてアーム１２４の下側を突起９８とガードレール本体面１１８ａとの間に挿入するとともに、ボタン１２２のスリット１２６の幅広部分に後端切り起こし部１１２を挿入する。これにより、ガイド部材９０から脱落しないように、また、ガイド部材９０に対して長さ方向に移動可能に、操作レバー９４がガイド部材９０に係合する。
【０１３５】
なお、ガイド部材９０とガイド部材接続部９２の接続、およびガイド部材９０への操作レバー９４の取り付けは、いずれを先に行ってもよい。
【０１３６】
図２０に示す組立て状態において、操作レバー９４の切り欠き部１２８ａ、１２８ｂは、排出板２０の端部（Ｃ部）に係合する。これにより、操作レバー９４を、図２０の状態から前方側（矢印Ｒ１方向）に移動操作することで排出板２０が時計回り方向（矢印Ｒ２方向）に回動する。なお、操作レバー９４は、先端切り起こし部９６を挿入したスリット１３０の長さ方向の両端間の幅内で移動可能である。
【０１３７】
以上説明した本実施の形態の第１の例の変形例に係るガイド部材およびガイド部材接続部の接続構造ならびにガイド部材への操作レバーの取り付け構造によれば、本実施の形態の第１の例と同様に、カードコネクタの幅寸法を小さくすることができ、また、接続および取り付け構造が簡易であり、さらにまた、接続および取り付けが容易である。
【０１３８】
また、ガイド部材９０に舌片部１１４ａ〜１１４ｄが設けられているため、舌片部１１４ａ〜１１４ｄに上下両面２３ａ、２３ｂ（図３参照）が案内されて、カード２２をカードコネクタ１０に容易に挿入することができる。
【０１３９】
つぎに、前記した本実施の形態の第1の例に係るカードコネクタ１０のグランドプレート１６ｅをカードコネクタが実装される基板に電気的に接続する構造の変形例について、図２５、図２６を参照して以下説明する。
【０１４０】
詳細な説明を省いたが、本実施の形態の第1の例では、一端がカード２２に電気的に接続されるグランドプレート１６ｅは、他端がカードコネクタ１０が実装される基板に表面実装されることにより、基板に電気的に接続されている。
【０１４１】
これに対して、本変形例では、カードコネクタ１９８は、グランドプレート（グランド部）２００の一端部（他端）２００ａに孔部２０２が形成されている。一方、コネクタ本体１４を覆うハウジング２０４は孔部２０６を有する複数層が積層された構造（多段積み構造）となっており、グランドプレート２００の一端部２００ａがその１つの層間に挿入され、孔部２０２を孔部２０６に連通させた状態で位置決めされている。また、１つの層の孔部内にナット２０８が埋めこまれている。
【０１４２】
そして、カードコネクタ１９８を実装する基板２１０の孔部２１２に挿通した導電性のボルト２１４をナット２０８に締結することにより、カードコネクタ１９８が基板２１０に固定されるとともに、併せて、グランドプレート２００がハウジング２０４に固定される。
【０１４３】
これにより、グランドプレート２００の一端部２００ａが基板２１０に電気的に接続される。
【０１４４】
なお、本変形例では、他の実施例と異なり、図示しない電子機器に設けられた基板２１０の下面にカードコネクタ１９８を実装する構造となっている。そして、この場合においても、他の実施例と同様に、表面端子２５のある面を上に向けてカード２２をカードコネクタ１９８に挿入可能とするために、グランドプレート２００は、カードコネクタ１９８の上部に配置されている。
【０１４５】
上記の構成により、カードコネクタを基板に固定するために元々必要な締結部材（ボルトおよびナット）をグランドプレートグと基板とを電気的に接続する部材として利用することで、グランド部と基板とを直接接合（グランド部を基板に表面実装）しないため、グランド部あるいは基板の高度な面精度を要しない。
【０１４６】
【発明の効果】
請求項１に係るカードコネクタによれば、取付け部の第1の段差部と排出板の第２の段差部とを係合するため、排出機構を薄肉とすることができ、ひいては、カードコネクタを薄肉化することができる。
【０１４７】
また、請求項１に係るカードコネクタによれば、排出板および取付け部のいずれか一方の回動中心部または回動中心部の近傍に対応する部分が、他の一方に形成した開口に挟み込まれるため、排出板の回動中心部の位置ずれや、排出板が取付け部から脱落する不具合を防止するができる。
【図面の簡単な説明】
【図１】  本実施の形態の第１の例に係るカードコネクタの組立て分解斜視図である。
【図２】  本実施の形態の第１の例に係るカードコネクタのガイド部材の斜視図である。
【図３】  カードコネクタに挿入するカードの斜視図である。
【図４】  本実施の形態の第１の例に係るカードコネクタの斜視図である。
【図５】  本実施の形態の第１の例に係るカードコネクタの正面図である。
【図６】  本実施の形態の第１の例に係るカードコネクタの背面図である。
【図７】  本実施の形態の第１の例に係るカードコネクタの表面図である。
【図８】  本実施の形態の第１の例に係るカードコネクタの図７中ＶＩＩＩ−ＶＩＩＩ線上断面図である。
【図９】  ガイド部材接続部とガイド部材との接続構造を説明するための本実施の形態の第１の例に係るカードコネクタの部分図である。
【図１０】  操作レバーのガイドレールへの取り付け構造を説明するための本実施の形態の第１の例に係るカードコネクタの部分分解図である。
【図１１】  操作レバーのボタンを説明するための本実施の形態の第１の例に係るカードコネクタの部分分解図である。
【図１２】  本実施の形態の第２の例に係るカードコネクタの部分図である。
【図１３】  本実施の形態の第２の例に係るカードコネクタの排出板を平板部に係合する方法を説明するための図である。
【図１４】  本実施の形態の第３の例に係るカードコネクタの部分図である。
【図１５】  本実施の形態の第３の例に係るカードコネクタの排出板と平板部との係合状態を説明するための図である。
【図１６】  本実施の形態の第４の例に係るカードコネクタの部分図である。
【図１７】  本実施の形態の第５の例に係るカードコネクタの部分図である。
【図１８】  本実施の形態の第６の例に係るカードコネクタの部分図である。
【図１９】  本実施の形態の第６の例に係るカードコネクタの排出板を平板部に係合する方法を説明するための図である。
【図２０】  本実施の形態の第1の例の変形例のカードコネクタの斜視図である。
【図２１】  図２０のガイド部材の斜視図である。
【図２２】  図２０のガイド部材およびガイド部材接続部の接続構造を説明するためのものであり、ガイド部材およびガイド部材接続部を一部破断して示す部分斜視図である。
【図２３】  図２０のガイド部材およびガイド部材接続部の接続構造を説明するためのものであり、ガイド部材およびガイド部材接続部を一部破断して示す部分側面図である。
【図２４】  図２０のガイド部材への操作レバーの取り付け構造を説明するためのガイド部材および操作レバーの斜視図である。
【図２５】  本実施の形態の第1の例に係るカードコネクタのグランドプレートをカードコネクタが実装される基板に電気的に接続する構造の変形例を説明するためのものであり、変形例のカードコネクタの平面図である。
【図２６】  図２５のカードコネクタのＸＸＶＩ−ＸＸＶＩ線上断面図である。
【符号の説明】
１０、９１、１４０、１５４、１６８、１８２、１９８  カードコネクタ
１２  コンタクト
１４  コネクタ本体
１６  上カバー
１６ｅ、２００  グランドプレート
１８、９５  平板部
２０、９３、１４２、１５６、１７０、１８４  排出板
２２  カード
２４、９０  ガイド部材
２６、９２  ガイド部材接続部
２６ａ、２６ｂ  接続部
２７、９４  操作レバー
２７ａ、１２４  アーム
３２、３６、１４８、１５０、１５８、１６４  段差部
４０  突設部
４１、１７４  突起部
４４ａ、４４ｂ、１００ａ、１００ｂ  ガイドレール
５４  係合部
５６、１２２  ボタン
５８ａ、５８ｂ  係止部
６０  凸部
７２ａ、７２ｂ、９８、１１８、１２０、１９０  突起
７６  圧入部
７８  凸部
８０ａ、８０ｂ、８２ａ、８２ｂ、８４  切り起こし部
９６  先端切り起こし部
１１０ａ、１１０ｂ、１８６、２０２、２０６  孔部
１１２  後端切り起こし部
１８８  取付け部
１４６  中央先端部
１６０、１７６、１９２  回動中心部
１７８  開口
２０４  ハウジング
２０８  ナット
２１０  基板
２１４  ボルト
【図１】
0004647129.tif 000002
【図２】
0004647129.tif 000003
【図３】
0004647129.tif 000004
【図４】
0004647129.tif 000005
【図５】
0004647129.tif 000006
【図６】
0004647129.tif 000007
【図７】
0004647129.tif 000008
【図８】
0004647129.tif 000009
【図９】
0004647129.tif 000010
【図１０】
0004647129.tif 000011
【図１１】
0004647129.tif 000012
【図１２】
0004647129.tif 000013
【図１３】
0004647129.tif 000014
【図１４】
0004647129.tif 000015
【図１５】
0004647129.tif 000016
【図１６】
0004647129.tif 000017
【図１７】
0004647129.tif 000018
【図１８】
0004647129.tif 000019
【図１９】
0004647129.tif 000020
【図２０】
0004647129.tif 000021
【図２１】
0004647129.tif 000022
【図２２】
0004647129.tif 000023
【図２３】
0004647129.tif 000024
【図２４】
0004647129.tif 000025
【図２５】
0004647129.tif 000026
【図２６】
0004647129.tif 000027